(57)【要約】      （修正有）【課題】ひじ掛け及び背板の位置を同時に調節できる一体型背板セル付きの椅子を提供する。【解決手段】背もたれ部と、背もたれ部から前方に延びるひじ掛け部とを持つ一体型背板セル１０と、座板支持部と、座板支持部から上側に延びてひじ掛け部と結合するひじ掛け支持部とを持つ下部フレーム２０と、ひじ掛け部をひじ掛け支持部に対して固定させる固定レバーと、を備え、一体型背板セルは、下部フレームに対して傾斜移動できる一体型背板セル付きの椅子。【選択図】図１
2014140739.tif 000002
【特許請求の範囲】
【請求項１】
背もたれ部１１と、前記背もたれ部１１から前方に延びるひじ掛け部１２と、を持つ一体型背板セル１０と、
座板支持部２１と、前記座板支持部２１から上側に延びて前記ひじ掛け部１２と結合するひじ掛け支持部２２と、を持つ下部フレーム２０と、
前記ひじ掛け部１２を前記ひじ掛け支持部２２に対して固定させる固定レバー８０と、を備え、
前記一体型背板セル１０は、前記下部フレーム２０に対して傾斜移動できることを特徴とする一体型背板セル付きの椅子。
【請求項２】
前記ひじ掛け部１２にはレバー結合ホール１４が設けられ、前記ひじ掛け支持部２２には複数のレバー収容溝２２２が設けられ、
前記固定レバー８０は、
前記レバー結合ホール１４を通じて、前記複数のレバー収容溝２２２のうちいずれか一つに挿入されるレバー軸部８２を備えることを特徴とする請求項１に記載の一体型背板セル付きの椅子。
【請求項３】
前記固定レバー８０は、
前記レバー軸部８２の外周面に介在されて、前記レバー軸部８２を前記レバー収容溝２２２方向に付勢する弾性部材８３をさらに備えることを特徴とする請求項２に記載の一体型背板セル付きの椅子。
【請求項４】
前記固定レバー８０は、
前記レバー軸部８２が貫通するように前記レバー結合ホール１４の一側に結合され、前記弾性部材８３の一端を支持する係止部材８４をさらに備えることを特徴とする請求項３に記載の一体型背板セル付きの椅子。
【請求項５】
前記弾性部材８３の他端は、前記レバー軸部８２の外周面の一側に突設される係止爪８２１に支持されることを特徴とする請求項４に記載の一体型背板セル付きの椅子。
【請求項６】
前記固定レバー８０は、
前記レバー軸部８２の一端に結合されるレバー受部８１をさらに備えることを特徴とする請求項３に記載の一体型背板セル付きの椅子。
【請求項７】
前記レバー受部８１の一側に組立て溝８１１が陷沒形成され、前記組立て溝８１１の底面中央に固定ホール８１３が形成され、前記組立て溝８１１にレバーキャップ８５が結合されることを特徴とする請求項６に記載の一体型背板セル付きの椅子。
【請求項８】
一側が前記ひじ掛け部１２の一側に固定され、他側が前記ひじ掛け支持部２２に摺動自在に結合される背板ブロック６０をさらに備えることを特徴とする請求項１に記載の一体型背板セル付きの椅子。
【請求項９】
前記ひじ掛け支持部２２の一側に第１レール７１が設けられ、前記背板ブロック６０の一側には前記第１レール７１と対応結合される第２レール７２が設けられることを特徴とする請求項８に記載の一体型背板セル付きの椅子。
【請求項１０】
前記ひじ掛け支持部２２は、弾性体２４によって支持される固定球２５を備え、前記固定球２５は、前記背板ブロック６０に設けられた複数の固定球収容溝６５のうちいずれか一つによって支持されることを特徴とする請求項８に記載の一体型背板セル付きの椅子。
【発明の詳細な説明】
【技術分野】
【０００１】
本発明は、椅子に係り、さらに詳細には、ひじ掛け及び背板の位置を同時に調節できる一体型背板セル付きの椅子に関する。
【背景技術】
【０００２】
一般的に、椅子は、座板、座板の一側に結合された背板、及び座板の下側に結合された脚を備えて構成され、座板または背板に結合されてユーザの腕を支持するひじ掛け（ａｒｍｒｅｓｔ）と、背板の上側に結合されてユーザの頭を支持するヘッドレスト（ｈｅａｄｒｅｓｔ）とをさらに備えてもよい。
【０００３】
この時、椅子において、ユーザの身体條件によってひじ掛けや背板の位置を調節する必要がある。ところが、従来の椅子は、ひじ掛け及び背板の位置が固定されているか、またはひじ掛けと背板とがそれぞれ位置調節されるように構成されているため、ユーザの要求を十分に満たすことができなかった。よって、従来には、ユーザの身体に最適化したひじ掛け及び背板の位置を試行錯誤によってそれぞれ調節するしかなかった。
【０００４】
特に、成長の速い子供と青少年の場合、背板の前後位置及びひじ掛けの上下位置を好適に調節するのが非常に重要である。背板が背の位置より遠く離れていれば、ユーザが背をまともにかけられなくて上体前傾の恐れがあり、また背板にかけようとすれば、横になる姿勢になって腰に負担を与える恐れがある。よって、身体の小さなユーザの場合、背板を前方下側にすると同時にひじ掛けを低くせねばならず、身体の大きいユーザの場合、背板を後方上側にしてひじ掛けを高くせねばならない。
【０００５】
従来の椅子によれば、背板の位置の調節が不可能であるか、または背板の位置を調節するために複雑な構造を必要とした。また、従来の椅子によれば、ひじ掛けの位置の調節が不可能であるか、またはひじ掛けの位置を調節するために複雑な構造を必要とした。特に子供と青少年の場合、好適な背板の前後位置とひじ掛けの上下位置とを互いに連携して同時に調節せねばならないが、背板及びひじ掛けの位置をユーザ自分で同時に好適に調節するのは困難であった。
【先行技術文献】
【特許文献】
【０００６】
【特許文献１】大韓民国登録実用新案公報第２０−０４５０５５０号（２０１０．１０．０５）
【特許文献２】大韓民国登録実用新案公報第２０−０３３６００９号（２００３．１２．０３）
【発明の概要】
【発明が解決しようとする課題】
【０００７】
本発明は、前記従来技術の問題点を解決するためのものであり、本発明が解決しようとする課題は、ひじ掛け及び背板の位置を同時に調節でき、位置調節及び固定の容易な、簡単かつコンパクトな構造の椅子を提供することである。
【課題を解決するための手段】
【０００８】
本発明の望ましい一実施形態によれば、背もたれ部と、前記背もたれ部から前方に延びるひじ掛け部とを持つ一体型背板セルと、座板支持部と、前記座板支持部から上側に延びて前記ひじ掛け部と結合するひじ掛け支持部とを持つ下部フレームと、前記ひじ掛け部を前記ひじ掛け支持部に対して固定させる固定レバーと、を備え、前記一体型背板セルは、前記下部フレームに対して傾斜移動できることを特徴とする一体型背板セル付きの椅子が提供される。
【０００９】
ここで、前記ひじ掛け部にはレバー結合ホールが設けられ、前記ひじ掛け支持部には複数のレバー収容溝が設けられ、前記固定レバーは、前記レバー結合ホールを通じて、前記複数のレバー収容溝のうちいずれか一つに挿入されるレバー軸部を備える。
【００１０】
また、前記固定レバーは、前記レバー軸部の外周面に介在されて、前記レバー軸部を前記レバー収容溝方向に付勢する弾性部材をさらに備える。
【００１１】
また、前記固定レバーは、前記レバー軸部が貫通するように前記レバー結合ホールの一側に結合され、前記弾性部材の一端を支持する係止部材をさらに備える。
【００１２】
このとき、前記弾性部材の他端は、前記レバー軸部の外周面の一側に突設される係止爪に支持される。
【００１３】
また、前記固定レバーは、前記レバー軸部の一端に結合されるレバー受部をさらに備える。
【００１４】
このとき、前記レバー受部の一側に組立て溝が陷沒形成され、前記組立て溝の底面中央に固定ホールが形成され、前記組立て溝にレバーキャップが結合される。
【００１５】
一方、本発明の一実施形態による一体型背板セル付きの椅子は、一側が前記ひじ掛け部の一側に固定され、他側が前記ひじ掛け支持部に摺動自在に結合される背板ブロックをさらに備える。
【００１６】
このとき、前記ひじ掛け支持部の一側に第１レールが設けられ、前記背板ブロックの一側には前記第１レールと対応結合される第２レールが設けられる。
【００１７】
また、前記ひじ掛け支持部は、弾性体によって支持される固定球を備え、前記固定球は、前記背板ブロックに設けられた複数の固定球収容溝のうちいずれか一つによって支持される。
【発明の効果】
【００１８】
本発明の一実施形態による一体型背板セル付きの椅子は、ひじ掛け及び背板の位置を同時に容易に調節及び固定できる、簡単かつコンパクトな構造の椅子を提供する。
【００１９】
特に子供と青少年の場合において、好適な背板の前後位置とひじ掛けの上下位置とを互いに連携して同時に調節可能にして、ユーザが好適な着席姿勢を維持できるようにする。よって、ユーザに優れた着席感を提供し、間違った姿勢による脊椎変形などの問題を予防できる。
【００２０】
本発明の効果は、前記の効果に限定されるものではなく、本発明の詳細な説明または特許請求の範囲に記載の発明の構成から推論可能なあらゆる効果を含むと理解されねばならない。
【図面の簡単な説明】
【００２１】
【図１】本発明の一実施形態による一体型背板セル付きの椅子の斜視図である。
【図２】本発明の一実施形態による一体型背板セル付きの椅子の使用状態を示す側面図である。
【図３】本発明の一実施形態による一体型背板セル付きの椅子の分解斜視図である。
【図４】図３の背板ブロック及びひじ掛け支持部を示す部分拡大斜視図である。
【図５】図３のひじ掛け支持部とひじ掛け部との間の傾斜面を示す断面図である。
【図６】本発明の他の実施形態による第１レールとローラとの結合を示す断面図である。
【図７】図３のひじ掛け部及び固定レバーを示す部分分解斜視図である。
【図８】図３のひじ掛け部とひじ掛け支持部及び固定レバーを示す断面図である。
【図９】図３の背もたれ部を示す分解斜視図である。
【図１０】図９の背板クッションが背もたれ部に結合された状態を示す断面図である。
【図１１】本発明の他の実施形態によって背板クッションが背もたれ部に結合された状態を示す断面図である。
【図１２】本発明のさらに他の実施形態によって背板クッションが背もたれ部に結合された状態を示す断面図である。
【図１３Ａ】図１２に示されたスナップの平面図である。
【図１３Ｂ】図１２に示されたスナップの斜視図である。
【発明を実施するための最良の形態】
【００２２】
以下、添付した図面を参照して本発明を説明する。しかし、本発明はいろいろな異なる形態で具現され、したがって、ここで説明する実施形態に限定されるものではない。そして、図面で本発明を明確に説明するために、説明と関係ない部分は略し、明細書全般にわたって類似した部分には類似した図面符号を付けた。
【００２３】
明細書全体で、いずれかの部分が他の部分と”結合”されているとする時、これは”直接的に結合”されている場合だけではなく、その間に他の部材を介して”間接的に結合”されている場合も含む。またいずれかの部分がある構成要素を”含む”とする時、これは特に逆の記載がない限り、他の構成要素を除くものではなく他の構成要素をさらに備えられるということを意味する。
【００２４】
以下、添付した図面を参考にして本発明の実施形態を詳細に説明する。
【００２５】
図１は、本発明の一実施形態による一体型背板セル付きの椅子の斜視図、図２は、本発明の一実施形態による一体型背板セル付きの椅子の使用状態を示す側面図、図３は、本発明の一実施形態による一体型背板セル付きの椅子の分解斜視図である。
【００２６】
図１に示されたように、本発明の一実施形態によって一体型背板セル付きの椅子（以下、’椅子’）１は、一体型背板セル１０と、一体型背板セル１０の下部に結合される下部フレーム２０とを備える。
【００２７】
また、椅子１は、下部フレーム２０の下側に結合された脚部３０、一体型背板セル１０の一側に結合されてユーザの背部位を支持する背板クッション４０、及び下部フレーム２０の上側に備えられてユーザの尻を支持する座板クッション５０をさらに備える。
【００２８】
図２に示されたように、一体型背板セル１０は、下部フレーム２０に対して傾斜移動でき、これについての詳細な説明は後述する。
【００２９】
図３に示されたように、一体型背板セル１０は、背もたれ部１１と、この背もたれ部１１の両側から前方に延びた一対のひじ掛け部１２とを備える。
【００３０】
本発明において”一体型背板セル”とは、ユーザの背を支持できる背もたれ部１１と、ユーザの腕を支持できるひじ掛け部１２とが互いに結合された形態の部材を意味し、必ずしも背もたれ部１１とひじ掛け部１２とが一つの構造物にならねばならないというものではない。また、一体型背板セル１０には、腰支持部（腰推支持台）をはじめとした他の要素が一体または別個に結合される。
【００３１】
下部フレーム２０は、座板支持部２１と、この座板支持部２１の両側から上側にそれぞれ延びた一対のひじ掛け支持部２２とを備える。
【００３２】
この時、下部フレーム２０は、それぞれ別個の部品である座板支持部２１とひじ掛け支持部２２とが互いに結合して形成されてもよく、座板支持部２１とひじ掛け支持部２２とが一体形成されて下部フレーム２０をなしてもよい。
【００３３】
この時、座板支持部２１の上側には座板または座板クッション５０が結合され、ひじ掛け支持部２２は、一体型背板セル１０のひじ掛け部１２と傾斜移動自在に結合される。
【００３４】
このために、一体型背板セル１０のひじ掛け部１２と下部フレーム２０のひじ掛け支持部２２との間には、背板ブロック６０が配される。
【００３５】
この時、背板ブロック６０は、例えば、一体型背板セル１０のひじ掛け部１２の下側に形成された開口部（図示せず）に挿入され、ひじ掛け部１２に固定される。
【００３６】
ここで、一体型背板セル１０のひじ掛け部１２の下端と、下部フレーム２０のひじ掛け支持部２２の上端とが互いに対応して傾いて形成されることで、一体型背板セル１０は、下部フレーム２０に対して傾斜移動できる。
【００３７】
すなわち、図２に示されたように、一体型背板セル１０は、固定された下部フレーム２０に対してそれぞれＡ方向及びＢ方向に移動でき、このような傾斜移動によって背もたれ部１１及びひじ掛け部１２の垂直位置及び前後位置が同時に調節される。
【００３８】
例えば、一体型背板セル１０が下部フレーム２０に対してＡ方向に移動する場合、背もたれ部１１が低くなりつつ前方に移動し（すなわち、座板でユーザの尻が支持される面積が小くなる）、同時にひじ掛け部１２も低くなる。一方、一体型背板セル１０が下部フレーム２０に対してＢ方向に移動する場合、背もたれ部１１が高くなりつつ後方に移動し（すなわち、座板でユーザの尻が支持される面積が大きくなる）、同時にひじ掛け部１２も高くなる。
【００３９】
したがって、背もたれ部１１及びひじ掛け部１２の位置を同時に調節できる、簡単かつコンパクトな構造の椅子１を提供できる。また、ユーザが好適な着席姿勢を維持でき、間違った姿勢による脊椎変形などの問題を予防できる。
【００４０】
一方、一体型背板セル１０が下部フレーム２０に対して傾斜移動する角度が大き過ぎるか、または小さ過ぎれば、背もたれ部１１及びひじ掛け部１２の位置を同時に調節する意味が半減し、これによりユーザに好適な着席感を提供できなくなる。特に、子供の成長速度に合う背板の深さ及びひじ掛けの高さ調節の割合は、略１：１になる。
【００４１】
したがって、一体型背板セル１０が下部フレーム２０に対して傾斜移動する角度は、地面を基準として３０゜〜６０゜であることが望ましいが、これは、傾斜移動角度が３０゜より小さければ、ひじ掛け部１２の高さ調節が容易でなく、傾斜移動角度が６０゜より大きければ、背もたれ部１１の深さ調節が容易でないからである。
【００４２】
図４は、図３の背板ブロック及びひじ掛け支持部を示す部分拡大斜視図であり、図５は、図３のひじ掛け支持部とひじ掛け部との間の傾斜面を示す断面図である。
【００４３】
図４に示されたように、下部フレーム２０のひじ掛け支持部２２の上端部の一側には”┐”状の上側結合部２２０が形成され、この上側結合部２２０の一側に収容溝２２１が形成される。
【００４４】
この時、下部フレーム２０の上側結合部２２０は、後述する背板ブロック６０の収容溝６３に対応結合され、下部フレーム２０の収容溝２２１には、後述する背板ブロック６０のブロック結合部６２が対応結合される。
【００４５】
また、上側結合部２２０には、図５に示されたように、複数のレバー収容溝２２２、ボルト収容溝２２３、及び弾性体収容溝２２４が設けられる。弾性体収容溝２２４には、弾性体２４及び固定球２５が挿入されるが、弾性体２４は、例えば、コイルバネであり、固定球２５は、例えば、鉄製球（鉄丸）である。
【００４６】
そして、弾性体収容溝２２４に弾性体２４及び固定球２５が収容された状態で、固定球離脱防止フレーム２６がボルト２３を介してひじ掛け支持部２２の上側結合部２２０に固定される。
【００４７】
この時、固定球離脱防止フレーム２６には、複数のレバー収容溝２２２にそれぞれ対応する結合孔２７と、ボルト収容溝２２３及び弾性体収容溝２２４にそれぞれ対応する複数の穴とが貫設される。
【００４８】
また、固定球２５は、弾性体２４によって弾性支持された状態で、外周面の一側が弾性体収容溝２２４に対応して固定球離脱防止フレーム２６に形成された穴を通じて外側に突出し、突出した固定球２５の外周面の一側は背板ブロック６０に、例えば、楔状に設けられた複数の固定球収容溝６５のうちいずれか一つによって支持される。
【００４９】
したがって、一体型背板セル１０が下部フレーム２０に対して摺動する場合、固定球２５は、背板ブロック６０との接触圧力によって弾性体２４の弾性力に対抗して内側に移動し、次いで、固定球２５は新たな固定球収容溝６５に到達する。このような方式で一体型背板セル１０が、下部フレーム２０に対して段階的に（この時、段階の数は、固定球収容溝の数によって定められる）定められた位置に固定される。
【００５０】
一方、背板ブロック６０は、ブロック本体部６１と、ブロック本体部６１の下端部の一側に”└”状に結合されたブロック結合部６２とを備え、このブロック結合部６２の一側には収容溝６３が形成される。この時、前述したように、背板ブロック６０のブロック結合部６２及び収容溝６３は、下部フレーム２０の収容溝２２１及び上側結合部２２０と互いに対応して結合される。
【００５１】
そして、ひじ掛け支持部２２の上側結合部２２０と背板ブロック６０のブロック結合部６２とは、移動レール７０によって互いに摺動自在に結合される。
【００５２】
この時、移動レール７０は、互いに相手移動自在に結合される第１レール７１及び第２レール７２を備え、第１レール７１は上側結合部２２０に、第２レール７２はブロック結合部６２にそれぞれ固定される。これにより、背板ブロック６０がひじ掛け支持部２２に移動自在に結合される。
【００５３】
図６は、本発明の他の実施形態による第１レールとローラとの結合を示す断面図である。
【００５４】
前述した実施形態では、上側結合部２２０に固設される第１レール７１と、ブロック結合部６２に固設される第２レール７２とによって、背板ブロック６０がひじ掛け支持部２２に移動自在に結合された。
【００５５】
これとは異なって、本発明の他の実施形態によれば、図６に示されたように、第２レール７２の代りに移動ローラ７３がブロック結合部６２の一側に備えられ、この時、移動ローラ７３は、第１レール７１のレール溝に回転自在に対応結合され、移動ローラ７３の回転軸７４は、ブロック結合部６２の一側に結合される。
【００５６】
これによって、移動ローラ７３が第１レール７１に沿って回転しつつ移動する時、一体型背板セル１０が背板ブロック６０と共に下部フレーム２０のひじ掛け支持部２２に対して摺動することである。
【００５７】
図７は、図３のひじ掛け部及び固定レバーを示す部分分解斜視図であり、図８は、図３のひじ掛け部とひじ掛け支持部及び固定レバーを示す断面図である。
【００５８】
図７及び図８に示されたように、ひじ掛け部１２の外側には、円筒状の軸支持部１３が突設され、この軸支持部１３に設けられたレバー結合ホール１４を通じて挿入された固定レバー８０は、背板ブロック６０及びひじ掛け支持部２２と結合されてひじ掛け部１２をひじ掛け支持部２２に固定させる。
【００５９】
ここで、固定レバー８０は、ユーザが把持して操作するレバー受部８１と、このレバー受部８１に一端が結合され、他端がひじ掛け支持部２２のレバー収容溝２２２に挿入されるレバー軸部８２と、レバー軸部８２をレバー収容溝２２２方向に付勢する弾性部材８３と、レバー結合ホール１４に結合されて弾性部材８３の一端を支持する係止部材８４とを備える。
【００６０】
この時、レバー受部８１は、ユーザが容易に把持して操作するように円筒状または多角形ブロック状に形成される。
【００６１】
また、レバー受部８１の一側には組立て溝８１１が陷沒形成され、他側には軸支持部収容溝８１２が陷沒形成されるが、この軸支持部収容溝８１２が軸支持部１３の外周面を取り囲むように、レバー受部８１の一側がひじ掛け部１２に結合される。
【００６２】
また、組立て溝８１１の底面中央には固定ホール８１３が形成されるが、後述するレバー軸部８２の一端がこの固定ホール８１３に挿入され、ボルト８１５などの締結具によって固定される。
【００６３】
この時、レバー受部８１の組立て溝８１１にはレバーキャップ８５が嵌め込み結合されて組立て溝８１１を閉鎖するが、組立て溝８１１の内周面には嵌め込み溝８１４が複数形成され、レバーキャップ８５の一側には、組立て溝８１１の嵌め込み溝８１４に対応結合するように複数の嵌め込み突起８５１が突設される。
【００６４】
レバー軸部８２は、ボルト８１５締結によって一端がレバー受部８１に固定され、他端が軸支持部１３のレバー結合ホール１４と背板ブロック６０の貫通ホール６４及び固定球離脱防止フレーム２６の結合孔２７を経て、ひじ掛け支持部２２のレバー収容溝２２２に挿入される。
【００６５】
この時、レバー受部８１に固定されるレバー軸部８２の一端は、レバー収容溝２２２に挿入される他端よりさらに小さな幅で形成されることが望ましい。
【００６６】
また、下部フレーム２０に対して一体型背板セル１０が傾斜移動することで、レバー軸部８２は、ひじ掛け支持部２２に形成される複数のレバー収容溝２２２のうちいずれか一つに選択的に挿入されて、下部フレーム２０に対する一体型背板セル１０の位置を固定させる。
【００６７】
同時に、レバー軸部８２は、レバー軸部８２の外周面に介在されるコイルバネなどの弾性部材８３によって、レバー収容溝２２２方向に付勢される。
【００６８】
この時、レバー軸部８２の外周面の一側には環形の係止爪８２１が突設され、背板ブロック６０の貫通ホール６４の縁部には、係止爪８２１の厚さほど陷沒された載置溝６４１が形成されて、レバー軸部８２のレバー収容溝２２２の挿入時に係止爪８２１を収容する。
【００６９】
また、軸支持部１３のレバー結合ホール１４の外側に係止部材８４が結合されるが、この時、係止部材８４は、中央に貫通孔８４３を持つ円筒状であり、一側がレバー結合ホール１４に挿入される挿入部８４１と、挿入部８４１の外周面の縁部に沿って幅が拡張形成され、レバー結合ホール１４の外側の縁部に沿ってボルト８４４などの締結具によって固定される胴体部８４２とを備える。
【００７０】
この時、弾性部材８３の一端は、係止部材８４の挿入部８４１の一端に弾性支持され、他端は、レバー軸部８２の係止爪８２１に弾性支持される。
【００７１】
このように、係止部材８４が軸支持部１３のレバー結合ホール１４の縁部に固定され、レバー軸部８２は、係止部材８４の貫通孔を貫通して挿入されることで、レバー軸部８２をひじ掛け部１２の外方に引き寄せてレバー収容溝２２２から離脱させれば、レバー軸部８２の係止爪８２１が係止部材８４の方向に移動しつつその間に介在された弾性部材８３が収縮され、レバー軸部８２に加えられた力をとり除けば、弾性部材８３の弾性復元力によってレバー軸部８２がレバー収容溝２２２に再び挿入される。
【００７２】
すなわち、ユーザがレバー受部８１をひじ掛け部１２の外側に引き寄せれば、レバー軸部８２がひじ掛け支持部２２のレバー収容溝２２２から離脱して、ひじ掛け部１２及び背板ブロック６０がひじ掛け支持部２２に対して自由に移動可能な状態になり、したがってユーザは、一体型背板セル１０を下部フレーム２０に対して傾斜移動させられる。
【００７３】
一体型背板セル１０を下部フレーム２０に対して傾斜移動させた後、レバー受部８１を放せば、弾性部材８３の弾性回復力によってレバー軸部８２が再びひじ掛け支持部２２のレバー収容溝２２に挿入され、これによって、下部フレーム２０に対する一体型背板セル１０の位置が固定される。
【００７４】
図９は、図３の背もたれ部を示す分解斜視図であり、図１０は、図９の背板クッションが背もたれ部に結合された状態を示す断面図である。
【００７５】
図９に示されたように、一体型背板セル１０の背もたれ部１１には、背板クッション４０が脱着自在に結合される。これに関して図１０を参照して、背もたれ部１１と背板クッション４０との結合構造を説明する。
【００７６】
一体型背板セル１０の背もたれ部１１には、前方で突設された突出部１１０が設けられ、この突出部１１０にはボルト収容溝１１１が設けられる。
【００７７】
この時、永久磁石のような磁性体Ｍがボルト１１２によって突出部１１０の前方に固定され、背板クッション４０の本体部４１には、突出部１１０に対応して結合部材４２が設けられる。結合部材４２は、磁性体Ｍと結合される鉄物であり、このような鉄物は、インサート射出によって背板クッション４０の一側に取り付けられる。あるいは、結合部材４２が磁性体であってもよい。
【００７８】
一方、背板クッション４０は、織物や革、樹脂などの素材からなってユーザに安着感を与えるクッション部４３をさらに備え、この時、クッション部４３は、本体部４１の一側に備えられるか、または本体部４１を取り囲む。
【００７９】
このように背板クッション４０は、一体型背板セル１０に脱着自在に結合され、これによりユーザの着席感が向上し、背板クッション４０の汚染時の洗濯や掃除の便宜性も高くなる。
【００８０】
一方、前記では、背もたれ部１１に磁性体Ｍが設けられ、背板クッション４０に結合部材４２が設けられると説明したが、これと異なって、背もたれ部１１に結合部材が設けられ、背板クッション４０に磁性体が設けられてもよい。
【００８１】
図１１は、本発明の他の実施形態によって背板クッションが背もたれ部に結合された状態を示す断面図である。
【００８２】
図１１に示された本発明の他の実施形態は、背板クッション４０が磁性体Ｍによって背もたれ部１１に脱着自在に結合されるという点で、前述した実施形態と類似しており、但し、結合部材４２に締結孔４２１が形成されるという点で差がある。
【００８３】
この時、ユーザは、背板クッション４０本体部４１の結合部材４２に磁性体Ｍが取り付けられた状態で、この締結孔４２１を通じてボルト収容溝１１１にボルト１１２を締結することで、背板クッション４０を背もたれ部１１に結合できる。
【００８４】
また、前述した図１０の実施形態のように、突出部１１０に磁性体Ｍが固定された状態で、背板クッション４０と本体部４１との結合部材４２を磁性体Ｍに取り付けることもできる。この場合、締結孔４２１を通じて磁性体Ｍの位置を確認できるので、正確かつ容易に背板クッション４０を背もたれ部１１に取り付けられる。
【００８５】
また、突出部１１０と磁性体Ｍとの間に磁力強化のためのワッシャー１１３が介在されるが、このワッシャー１１３は、図１０を参考にして前述した実施形態にも同じく適用されるということはいうまでもない。
【００８６】
図１２は、本発明のさらに他の実施形態によって背板クッションが背もたれ部に結合された状態を示す断面図であり、図１３Ａは、図１２に示されたスナップの平面図であり、図１３Ｂは、図１２に示されたスナップの斜視図である。
【００８７】
図１２に示された本発明のさらに他の実施形態によれば、背板クッション４０は、スナップ１００によって背もたれ部１１に脱着自在に結合される。
【００８８】
この時、一体型背板セル１０の背もたれ部１１には、前方に突設された突出部１１０が設けられ、円筒状のスナップ１００がボルト１１２によって突出部１１０の前方に固定される。
【００８９】
また、背板クッション４０の本体部４１には、突出部１１０に対応して締結孔４２１が形成された結合部材４２が設けられるが、この締結孔４２１にスナップ１００が嵌め込まれることで背板クッション４０と背もたれ部１１との結合がなされる。
【００９０】
ここで、スナップ１００は、図１３Ａ及び図１３Ｂに示されたように、全体的に中空の円筒状の本体１０１と、本体１０１の上端の縁部に沿って外側に突設される係止部１０３とを備え、係止部１０３には、所定間隔で複数の切開溝１０５が切開形成されて、係止部１０３の弾性変形が可能である。
【００９１】
また、本体１０１の底面には、中空の縁部に沿ってボルト１１２のヘッド部を支持するボルト支持部１０７が形成される。
【００９２】
本発明のさらに他の実施形態による背板クッションの組み立ては、次のように行われる。
【００９３】
先ず、ボルト１１２を使ってスナップ１００を突出部１１０に締結し、この時、ボルト１１２のヘッド部はスナップ１００のボルト支持部１０７に支持される。
【００９４】
次いで、結合部材４２がスナップ１００と対向するように背板クッション４０を位置させた後、背板クッション４０を背もたれ部１１の方向に加圧して、スナップ１００の係止部１０３を結合部材４２の締結孔４２１の縁部に支持させる。
【００９５】
この時、係止部１０３の外周面が緩やかに膨らんでいる曲面になることで、係止部１０３は弾性変形されつつ締結孔４２１に挿入され、係止部１０３が締結孔４２１を通過すれば、係止部１０３は締結孔４２１の縁部に弾性支持される。
【００９６】
前述した本発明の説明は例示のためのものであり、当業者ならば、本発明の技術的思想や必須の特徴を変更せずとも他の具体的な形態に容易に変形できるということが理解できるであろう。したがって、以上で述べた実施形態はあらゆる面で例示的なものであり、限定的ではないと理解せねばならない。例えば、単一型に説明されている各構成要素は分散して実施されてもよく、同様に、分散していると説明されている構成要素も結合された形態で実施されうる。
【００９７】
本発明の範囲は特許請求の範囲によって示され、特許請求の範囲の意味及び範囲、そしてその均等な概念から導出されるすべての変更または変形された形態が本発明の範囲に含まれると解釈されねばならない。
【産業上の利用可能性】
【００９８】
本発明は、一体型背板セル付きの椅子関連の技術分野に好適に用いられる。
【符号の説明】
【００９９】
１：椅子
１０：一体型背板セル
１１：背もたれ部
１２：ひじ掛け部
２０：下部フレーム
３０：脚部
４０：背板クッション
５０：座板クッション
６０：背板ブロック
７０：レール
８０：固定レバー
１００：スナップ
【図１】
2014140739.tif 000003
【図２】
2014140739.tif 000004
【図３】
2014140739.tif 000005
【図４】
2014140739.tif 000006
【図５】
2014140739.tif 000007
【図６】
2014140739.tif 000008
【図７】
2014140739.tif 000009
【図８】
2014140739.tif 000010
【図９】
2014140739.tif 000011
【図１０】
2014140739.tif 000012
【図１１】
2014140739.tif 000013
【図１２】
2014140739.tif 000014
【図１３Ａ】
2014140739.tif 000015
【図１３Ｂ】
2014140739.tif 000016